(57)【要約】    【課題】改装時等における施工性を高め有資格者による電気工事を不要にする。    【解決手段】コンセント４の端子台４０によって統合化される伝送ラインＬ1、Ｌ2、Ｌ3により接続される子機１及び親機２、３のうち、少なくとも親機を当該コンセントにコネクタ２４、２００、３４、３００で接続することにより、コンセントの接続検出回路４１にて接続検出された親機は、当該コンセントの電源回路４２から電源供給される。また、伝送ライン及びコネクタは、子機のカメラにて生成され親機のモニタに出画される映像信号に整合するインピーダンスを有している。  【選択図】図１
2008244953.tif 000002
【特許請求の範囲】
【請求項１】
住宅の外壁面（Ｗ1）に設置される子機（１）と、室内の壁面（Ｗ2）に設置される親機（２、３）とを伝送ライン（Ｌ1、Ｌ2、Ｌ3）で接続し、
オス型形状のコネクタ及びメス型形状のコネクタのうち一方の当該コネクタに前記伝送ラインを接続して当該伝送ラインを統合化するためのコンセント（４）を前記壁面に埋め込み、
前記親機には、前記一方の当該コネクタに着脱自在で接続するための前記オス型形状のコネクタ及びメス型形状のコネクタのうち他方の当該コネクタを備えたことを特徴とするインターホン装置。
【請求項２】
前記子機には、前記一方の当該コネクタに着脱自在で接続するための前記オス型形状のコネクタ及びメス型形状のコネクタのうち他方の当該コネクタを備えたことを特徴とする請求項１記載のインターホン装置。
【請求項３】
前記コンセントは、前記伝送ラインを統合化するための端子台（４０）と、前記一方の当該コネクタに着脱自在で接続可能な前記他方の当該コネクタを有する前記親機及び／又は前記子機を接続検出するための接続検出回路（４１）と、前記接続検出回路にて接続検出された前記親機及び／又は前記子機に電源供給するための電源回路（４２）とを備えたことを特徴とする請求項１又は請求項２記載のインターホン装置。
【請求項４】
前記子機は、映像信号を生成するためのカメラ（１１）を有し、
前記親機は、前記子機のカメラにて生成された映像信号を出画するためのモニタ（２０、３０）を有し、
前記伝送ライン及び前記コネクタは、前記映像信号に整合するインピーダンスを有することを特徴とする請求項１乃至請求項３のうち何れか１項記載のインターホン装置。
【発明の詳細な説明】
【技術分野】
【０００１】
本発明はインターホン装置に係り、特に、住宅の外壁面及び室内の壁面にそれぞれ設置される電子機器の配線を容易として施工性を高め、有資格者による電気工事を不要にしたインターホン装置に関する。
【背景技術】
【０００２】
従来から、子機及び親機等のインターホン機能を有する電子機器を、住宅の外壁面及び室内の壁面にそれぞれ設置するにあたり、この固定構造としては、下筐体を壁面に埋め込んだボックス（埋め込みボックス）にねじ等で固定し、このボックスに配線されたケーブルを下筐体に配設された端子台に接続し、上筐体に配設された基板と端子台を接続した後、ケーブルをまとめて下筐体側に押し込み、上筐体を被せ、ねじにより上筐体と下筐体とを螺着固定していた（例えば、特許文献１を参照。）。
【０００３】
【特許文献１】登録実用新案第３０３１８３４号公報（段落番号「０００４」、第２図）
【発明の開示】
【発明が解決しようとする課題】
【０００４】
しかしながら、背景技術に記載した特許文献１の固定構造では、その施工を行うにあたり、子機及び親機等のインターホン機能を有する電子機器毎に配線方法（接続する箇所、順番等）が異なり分かりにくく、改装時等における電子機器の施工性が低くなる難点があった。また、前述の電子機器の上筐体には、電子部品を搭載した基板が配設されており、この基板には、通常、電源回路が搭載されるため、施工者は、電気工事の資格を有する有資格者に限定されていた。
【０００５】
本発明は、これらの難点を解消するためになされたもので、子機及び親機等のインターホン機能を有する電子機器毎に異なる伝送ラインを統合化する端子台を汎用のコンセントに設け、このコンセントに電源回路を内蔵することにより、改装時等における電子機器の施工性を高め有資格者による電気工事を不要にしたインターホン装置を提供することを目的としている。
【課題を解決するための手段】
【０００６】
前述の目的を達成するため、本発明の第１の態様であるインターホン装置は、住宅の外壁面に設置される子機と、室内の壁面に設置される親機とを伝送ラインで接続し、オス型形状のコネクタ及びメス型形状のコネクタのうち一方の当該コネクタに伝送ラインを接続して伝送ラインを統合化するためのコンセントを壁面に埋め込んだものである。親機には、一方の当該コネクタに着脱自在で接続するためのオス型形状のコネクタ及びメス型形状のコネクタのうち他方の当該コネクタを備えたものである。
【０００７】
また、本発明の第２の態様であるインターホン装置は、本発明の第１の態様において、子機には、一方の当該コネクタに着脱自在で接続するためのオス型形状のコネクタ及びメス型形状のコネクタのうち他方の当該コネクタを備えたものである。
【０００８】
また、本発明の第３の態様であるインターホン装置は、本発明の第１の態様又は第２の態様において、コンセントは、伝送ラインを統合化するための端子台と、一方の当該コネクタに着脱自在で接続可能な他方の当該コネクタを有する親機及び／又は子機を接続検出するための接続検出回路と、接続検出回路にて接続検出された親機及び／又は子機に電源供給するための電源回路とを備えたものである。
【０００９】
また、本発明の第４の態様であるインターホン装置は、本発明の第１の態様乃至第３の態様において、子機は、映像信号を生成するためのカメラを有し、親機は、子機のカメラにて生成された映像信号を出画するためのモニタを有しており、伝送ライン及びコネクタは、映像信号に整合するインピーダンスを有している。
【発明の効果】
【００１０】
本発明のインターホン装置によれば、コンセントの端子台によって統合化される伝送ラインにより接続される子機及び親機のうち、少なくとも親機を当該コンセントにコネクタで接続することにより、コンセントの接続検出回路にて接続検出された親機は、当該コンセントの電源回路から電源供給されるため、改装時等における親機の施工性が高められ有資格者による電気工事が不要になるばかりでなく、親機に電源回路を備える必要がないため、親機本体を薄型化することができ、デザイン性も向上する。
【００１１】
また、本発明のインターホン装置によれば、コンセントの端子台によって統合化される伝送ラインにより接続される子機及び親機のうち、少なくとも子機を当該コンセントにコネクタで接続することにより、コンセントの接続検出回路にて接続検出された子機は、当該コンセントの電源回路から電源供給されるため、改装時等における子機の施工性が高められ有資格者による電気工事が不要になるばかりでなく、子機に電源回路を備える必要がないため、子機本体を薄型化することができ、デザイン性も向上する。
【００１２】
さらに、本発明のインターホン装置によれば、子機に備えられるカメラにて生成された映像信号を、親機に備えられるモニタに出画させるにあたり、伝送ライン及びコネクタは、映像信号に整合するインピーダンスを有しているため、改装時等に施工される電子機器に整合インピーダンス回路が不要となり、部品コストの低減化を図ることができる。
【発明を実施するための最良の形態】
【００１３】
以下、本発明のインターホン装置を適用した最良の実施の形態例について、図面を参照して説明する。なお、図１は、本発明の実施例によるインターホン装置の設置例を示す説明図である。また、図２（ａ）、（ｂ）、（ｃ）、（ｄ）はそれぞれ、本発明の実施例によるインターホン装置を構成する電子機器の具体的な構造を示す説明図である。
【００１４】
図１に示すインターホン装置は、住宅の外壁面Ｗ1に設置される子機１と、（当該住宅の）室内の壁面Ｗ2に離間した位置に設置される親機２及び増設親機３と、壁面Ｗ1、Ｗ2に埋め込まれ、伝送ラインＬ1、Ｌ2、Ｌ3をそれぞれ経由して玄関子機１、親機２、増設親機３がコネクタ接続されるソケット形状のコンセント４とで構成されている。なお、伝送ラインＬ1、Ｌ2、Ｌ3の一端側にはそれぞれ、オス型形状のコネクタ及びメス型形状のコネクタのうち、ここでは、図２（ｄ）に示すメス型形状のコネクタ（以下、ラインコネクタという。）１００、２００、３００が設けられている。
【００１５】
図２（ａ）は、子機１の具体的な構造を示している。この子機１の正面側には、来訪者が居住者を呼び出すために操作する例えば、呼出ボタン等の子機操作部１０と、呼出操作を行った来訪者の映像や当該子機の設置場所の周囲環境の映像を撮像して映像信号を生成するための例えば、ＣＣＤ、ＣＭＯＳ等のカメラ１１と、来訪者が居住者との間で通話を成立させるための音声（送話音声、受話音声）を入出力する子機マイク１２及び子機スピーカ１３とが備えられている。また、図１に示すように外壁面Ｗ1に当接される子機１の背面側には、オス型形状のコネクタ及びメス型形状のコネクタのうち、ここでは、伝送ラインＬ1が有する図２（ｄ）に示すラインコネクタ１００に着脱自在で接続（コネクタ接続）するためのオス型形状のコネクタ（以下、子機コネクタという。）１４が備えられている。
【００１６】
図２（ｂ）は、親機２の具体的な構造を示している。この親機２の正面側には、子機１のカメラ１１にて生成された映像信号を出画するとともに、来訪者による子機１からの呼び出しがある旨の呼出メッセージや絵データを表示することができる例えば、ＬＣＤ、ＰＤＰ、有機ＥＬディスプレイ等の親機モニタ２０と、来訪者による子機１からの呼び出しがある旨の呼出音や音声メッセージを出力するとともに、来訪者の音声（受話音声）を出力するための親機スピーカ２１と、親機スピーカ２１とともに居住者が通話を成立させるために使用して音声（送話音声）を入力する親機マイク２２と、来訪者による子機１からの呼び出しがあることを確認した居住者が応答するために操作し、親機マイク２２及び親機スピーカ２１の使用による通話を成立させるともに、成立中の通話を終了させるために操作する例えば、通話ボタンや親機モニタ２０の前面に配置されたタッチパネル等の親機操作部２３とが備えられている。また、図１に示すように壁面Ｗ2に当接される親機２の背面側には、オス型形状のコネクタ及びメス型形状のコネクタのうち、ここでは、伝送ラインＬ2が有する図２（ｄ）に示すラインコネクタ２００に着脱自在で接続（コネクタ接続）するためのオス型形状のコネクタ（以下、親機コネクタという。）２４が備えられている。なお、親機２には、通常、前述の親機スピーカ２１、親機マイク２２及び親機操作部２３を使用して、増設親機３を使用する居住者を呼び出して通話を成立させる、又は増設親機３を使用する居住者からの呼び出しに応答して通話を成立させる内線呼び出し・通話機能も備えられている。
【００１７】
図２（ｃ）は、増設親機３の具体的な構造を示している。この増設親機３の正面側には、子機１のカメラ１１にて生成された映像信号を出画するとともに、来訪者による子機１からの呼び出しがある旨の呼出メッセージや絵データを表示することができる例えば、ＬＣＤ、ＰＤＰ、有機ＥＬディスプレイ等の増設親機モニタ３０と、来訪者による子機１からの呼び出しがある旨の呼出音や音声メッセージを出力するとともに、来訪者の音声（受話音声）を出力するための増設親機スピーカ３１と、増設親機スピーカ３１とともに居住者が通話を成立させるために使用して音声（送話音声）を入力する増設親機マイク３２と、来訪者による子機１からの呼び出しがあることを確認した居住者が応答するために操作し、増設親機マイク３２及び増設親機スピーカ３１の使用による通話を成立させるともに、成立中の通話を終了させるために操作する例えば、通話ボタンや増設親機モニタ３０の前面に配置されたタッチパネル等の増設親機操作部３３とが備えられている。また、図１に示すように壁面Ｗ2に当接される増設親機３の背面側には、オス型形状のコネクタ及びメス型形状のコネクタのうち、ここでは、伝送ラインＬ3が有する図２（ｄ）に示すラインコネクタ３００に着脱自在で接続（コネクタ接続）するためのオス型形状のコネクタ（以下、増設親機コネクタという。）３４が備えられている。なお、増設親機３には、通常、前述の増設親機スピーカ３１、増設親機マイク３２及び増設親機操作部３３を使用して、親機２を使用する居住者を呼び出して通話を成立させる、又は親機２を使用する居住者からの呼び出しに応答して通話を成立させる内線呼び出し・通話機能も備えられている。
【００１８】
図１に示すコンセント４には、伝送ラインＬ1、Ｌ2、Ｌ3を統合化するための端子台４０と、伝送ラインＬ1が有するラインコネクタ１００に着脱自在で接続（コネクタ接続）するための子機コネクタ１４を有する子機１、伝送ラインＬ2が有するラインコネクタ２００に着脱自在で接続（コネクタ接続）するための親機コネクタ２４を有する親機２、伝送ラインＬ3が有するラインコネクタ３００に着脱自在で接続（コネクタ接続）するための増設親機コネクタ３４を有する増設親機３の接続状態をそれぞれ検出するための接続検出回路４１と、商用電源について整流・平滑させた所定の電圧レベルの直流電源を生成、例えば、ＡＣ１００Ｖを整流・平滑してＤＣ１８Ｖを生成し、この直流電源を、接続検出回路４１にて接続状態が検出された電子機器（子機１、親機２、増設親機３）に電源供給するための電源回路４２とが備えられている。
【００１９】
また、図２（ａ）、（ｂ）、（ｃ）に示すように、オス型形状のコネクタである子機１が有する子機コネクタ１４、親機２が有する親機コネクタ２４及び増設親機３が有する増設親機コネクタ３４はそれぞれ、当該コネクタの両端部に設けられる弾性材から成る１対のツメ部Ｐ14a、Ｐ24a、Ｐ34aと、子機１、親機２及び増設親機３がそれぞれ有する前述の各種機能に対応させた電源供給路接点部、制御路接点部、映像伝送路接点部、通話路接点部等の複数の接点部Ｐ14b、Ｐ24b、Ｐ34bとが備えられており、これら接点部Ｐ14b、Ｐ24b、Ｐ34bは、その接点部数や用途に応じた拡張性を有している。
【００２０】
さらに、図２（ｄ）に示すように、メス型形状のコネクタである伝送ラインＬ1、Ｌ2、Ｌ3が有するラインコネクタ１００、２００、３００はそれぞれ、当該コネクタの両端部に設けられ、前述の子機コネクタ１４、親機コネクタ２４及び増設親機コネクタ３４が有する一対のツメ部Ｐ14a、Ｐ24a、Ｐ34aを嵌め込むための一対の開口部Ｐ100a、Ｐ200a、Ｐ300aと、前述の子機コネクタ１４、親機コネクタ２４及び増設親機コネクタ３４が有する複数の接点部Ｐ14b、Ｐ24b、Ｐ34bに着脱自在で接続（コネクタ接続）される子機１、親機２及び増設親機３が有する前述の各種機能に対応させた電源供給路接点部、制御路接点部、映像伝送路接点部、通話路接点部等の複数の接点部Ｐ100b、Ｐ200b、Ｐ300bとが備えられており、これら接点部Ｐ100b、Ｐ200b、Ｐ300bは、その接点部数や用途に応じた拡張性を有している。
【００２１】
なお、前述までの子機コネクタ１４、親機コネクタ２４、増設親機コネクタ３４及びラインコネクタ１００、２００、３００はそれぞれ、未使用時において目隠しプレートやふた等で接触面を被覆することにより、ゴミや埃等の侵入を防止することができるばかりでなく、静電気の影響を抑えることができる。
【００２２】
このような構成／構造の本発明の実施例によるインターホン装置において、住宅の外壁面Ｗ1に子機１を設置し、室内の壁面Ｗ2に親機２及び増設親機３をそれぞれ設置する動作について、図面を参照して説明する。
【００２３】
図１に示すように、住宅の外壁面Ｗ1に子機１を設置するにあたっては、子機１の背面側に設けられている図２（ａ）に示す子機コネクタ１４が有する複数の接点部Ｐ14bと、壁面Ｗ1、Ｗ2に埋め込まれているコンセント４の端子台４０により伝送ラインＬ2、Ｌ3と統合化された伝送ラインＬ1が有する図２（ｄ）に示すラインコネクタ１００の複数の接点部Ｐ100bとを、電源供給路接点部、制御路接点部、映像伝送路接点部、通話路接点部等のように機能毎に対応させて接続（コネクタ接続）した後、ラインコネクタ１００が有する一対の開口部Ｐ100aに子機コネクタ１４が有する一対のツメ部Ｐ14aを嵌め込んで固定する。
【００２４】
また、図１に示すように、室内の壁面Ｗ2に親機２を設置するにあたっては、親機２の背面側に設けられている図２（ｂ）に示す親機コネクタ２４が有する複数の接点部Ｐ24bと、壁面Ｗ1、Ｗ2に埋め込まれているコンセント４の端子台４０により伝送ラインＬ1、Ｌ3と統合化された伝送ラインＬ2が有する図２（ｄ）に示すラインコネクタ２００の複数の接点部Ｐ200bとを、電源供給路接点部、制御路接点部、映像伝送路接点部、通話路接点部等のように機能毎に対応させて接続（コネクタ接続）した後、ラインコネクタ２００が有する一対の開口部Ｐ200aに親機コネクタ２４が有する一対のツメ部Ｐ24aを嵌め込んで固定する。
【００２５】
さらに、図１に示すように、室内の壁面Ｗ2に増設親機３を設置するにあたっては、増設親機３の背面側に設けられている図２（ｃ）に示す増設親機コネクタ３４が有する複数の接点部Ｐ34bと、壁面Ｗ1、Ｗ2に埋め込まれているコンセント４の端子台４０により伝送ラインＬ1、Ｌ2と統合化された伝送ラインＬ3が有する図２（ｄ）に示すラインコネクタ３００の複数の接点部Ｐ300bとを、電源供給路接点部、制御路接点部、映像伝送路接点部、通話路接点部等のように機能毎に対応させて接続（コネクタ接続）した後、ラインコネクタ３００が有する一対の開口部Ｐ300aに増設親機コネクタ３４が有する一対のツメ部Ｐ34aを嵌め込んで固定する。
【００２６】
前述までの接続（コネクタ接続）、設置固定の工程が終了すると、図１に示すコンセント４の接続検出回路４１は、伝送ラインＬ1が有するラインコネクタ１００に着脱自在で接続（コネクタ接続）された子機コネクタ１４を有する子機１と、伝送ラインＬ2が有するラインコネクタ２００に着脱自在で接続（コネクタ接続）された親機コネクタ２４を有する親機２と、伝送ラインＬ3が有するラインコネクタ３００に着脱自在で接続（コネクタ接続）された増設親機コネクタ３４を有する増設親機３の接続状態をそれぞれ検出する。この接続検出回路４１は、電源回路４２にて生成された直流電源を、端子台４０、伝送ラインＬ1、当該伝送ラインのラインコネクタ１００が有する図２（ｄ）に示す複数の接点部Ｐ100bのうちの電源供給路接点部、子機１の子機コネクタ１４が有する図２（ａ）に示す複数の接点部Ｐ14bのうちの電源供給路接点部を経由して当該子機に供給することができ、この直流電源が待受電源又は動作電源となる。また、接続検出回路４１は、電源回路４２にて生成された直流電源を、端子台４０、伝送ラインＬ2、当該伝送ラインのラインコネクタ２００が有する図２（ｄ）に示す複数の接点部Ｐ200bのうちの電源供給路接点部、親機２の親機コネクタ２４が有する図２（ｂ）に示す複数の接点部Ｐ24bのうちの電源供給路接点部を経由して当該親機に供給することができ、この直流電源が待受電源又は動作電源となる。さらに、接続検出回路４１は、電源回路４２にて生成された直流電源を、端子台４０、伝送ラインＬ3、当該伝送ラインのラインコネクタ３００が有する図２（ｄ）に示す複数の接点部Ｐ300bのうちの電源供給路接点部、増設親機３の増設親機コネクタ３４が有する図２（ｃ）に示す複数の接点部Ｐ34bのうちの電源供給路接点部を経由して当該増設親機に供給することができ、この直流電源が待受電源又は動作電源となる。
【００２７】
なお、図１において、コンセント４の電源回路４２は、接続検出回路４１にて接続状態が検出されなかった電子機器（子機１、親機２、増設親機３）には直流電源を供給しないことから、無用な電源供給の動作が抑えられ、安全性を高められるばかりでなく省電力化を図ることができる。
【００２８】
前述までの説明から明らかなように、コンセント４の接続検出回路４１は、端子台４０により統合化された伝送ラインＬ1、Ｌ2、Ｌ3が有するラインコネクタ１００、２００、３００に着脱自在で接続（コネクタ接続）された子機コネクタ１４を有する子機１、親機コネクタ２４を有する親機２、増設親機コネクタ３４を有する増設親機３の接続状態をそれぞれ検出し、接続状態が検出された電子機器に対して電源回路４２にて生成された直流電源を供給することができる。これにより、子機１、親機２、増設親機３のような電子機器をコンセント４にコネクタ接続することだけで当該電子機器の待受電源又は動作電源を確保できるため、改装時等における電子機器の施工性が高められ有資格者による電気工事を不要となるばかりでなく、当該電子機器に電源回路４２を備える必要がないため、機器本体を薄型化することができ、デザイン性も向上する。
【００２９】
また、図２（ａ）に示す子機１の子機操作部１０にて呼出操作が行われるような呼出時において、カメラ１１にて生成される映像信号を図１に示すコンセント４を経由して図２（ｂ）、（ｃ）に示す親機２、増設親機３に送出し、親機モニタ２０、増設親機モニタ３０にそれぞれ出画させるにあたり、伝送ラインＬ1、Ｌ2、Ｌ3と子機コネクタ１４、親機コネクタ２４、増設親機コネクタ３４及びラインコネクタ１００、２００、３００とはそれぞれ、映像信号に整合する例えば、７５Ωのインピーダンスを有しているため、改装時等に施工される電子機器に整合インピーダンス回路が不要となり、部品コストの低減化を図ることができる。
【００３０】
なお、本発明の実施例では、子機１、親機２、増設親機３のような電子機器をコンセント４にコネクタ接続するにあたり、子機１の子機コネクタ１４、親機２の親機コネクタ２４及び増設親機３の増設親機コネクタ３４のそれぞれの形状をオス型とする一方、伝送ラインＬ1、Ｌ2、Ｌ3のラインコネクタ１００、２００、３００のそれぞれの形状をメス型として説明したが、この態様に限定されるものではなく、コネクタ接続される一組のコネクタの一方がオス型、他方がメス型であれば、その組み合わせは任意に選択できる。
【００３１】
また、本発明の実施例では、伝送ラインＬ1、Ｌ2、Ｌ3にコネクタ接続される電子機器として、子機１、親機２、増設親機３をそれぞれ適用したが、この態様に限定されるものではない。例えば、図１に破線で示すように、玄関戸を施解錠するための電気錠も好適とされ、コネクタ接続される電子機器を任意に選択できる。
【００３２】
最後に、本発明のインターホン装置においては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【００３３】
【図１】図１は、本発明の実施例によるインターホン装置の設置例を示す説明図である。
【図２】図２（ａ）、（ｂ）、（ｃ）、（ｄ）はそれぞれ、本発明の実施例によるインターホン装置を構成する電子機器の具体的な構造を示す説明図である。
【符号の説明】
【００３４】
１……子機
１１……カメラ
１４……子機コネクタ
２、３……親機
２０……親機モニタ（モニタ）
２４……親機コネクタ
３０……増設親機モニタ（モニタ）
３４……増設親機コネクタ
４……コンセント
４０……端子台
４１……接続検出回路
４２……電源回路
Ｌ1、Ｌ2、Ｌ3……伝送ライン
１００、２００、３００……ラインコネクタ
【図１】
2008244953.tif 000003
【図２】
2008244953.tif 000004